(57)【要約】【課題】本発明の課題は、液晶表示装置が落下した場合にも落下の衝撃を和らげ、信頼性を向上し得る液晶表示装置を提供することにある。【解決手段】本発明に関わる液晶表示装置は、光源ｋを有するバックライトユニットと、映像を制御する制御ユニットＹと、該制御ユニットＹとバックライトユニットとが保持される背面板２と、一対の基板間に狭持された液晶層と該一対の基板を狭持して配置された一対の偏光板を有する液晶パネル７と、液晶パネル７に対してバックライトユニットが配置された側とは反対側に配置された保護板１とを備える液晶表示装置１０であって、保護板１、液晶パネル７を含んで一体とした前面ユニットと、バックライトユニットおよび制御ユニットＹおよび背面板２を含んで一体とした背面ユニットとを併合し構成している。【選択図】図１
2009098247.tif 000002
【特許請求の範囲】
【請求項１】
光源を有するバックライトユニットと、映像を制御する制御ユニットと、該制御ユニットと前記バックライトユニットとが保持される背面板と、一対の基板間に狭持された液晶層と該一対の基板を狭持して配置された一対の偏光板を有する液晶パネルと、前記液晶パネルに対して前記バックライトユニットが配置された側とは反対側に配置された保護板とを備える液晶表示装置であって、
前記保護板、前記液晶パネルを含んで一体とした前面ユニットと、前記バックライトユニットおよび前記制御ユニットおよび前記背面板を含んで一体とした背面ユニットとを併合し構成される
ことを特徴とする液晶表示装置。
【請求項２】
請求項１に記載の液晶表示装置において、
前記液晶パネルと前記保護板間に配置された透明な有機物媒体層を有し、
前記前面ユニットは、前記保護板、前記有機物媒体層、前記液晶パネルを含んで一体化されたことを特徴とする液晶表示装置。
【請求項３】
請求項１または請求項２に記載の液晶表示装置において、
前記液晶表示装置を壁面に吊り下げるための吊り下げ用フックが、前記保護板よりも前記背面板に近い位置に配置される
ことを特徴とする液晶表示装置。
【請求項４】
請求項１または請求項２に記載の液晶表示装置において、
前記液晶表示装置の重心は、前記保護板よりも前記背面板に近い位置に在る
ことを特徴とする液晶表示装置。
【請求項５】
請求項１または請求項２に記載の液晶表示装置において、
前記前面ユニットと前記背面ユニットとが弾性体の部材を含む側面部材を介して連結される
ことを特徴とする液晶表示装置。
【請求項６】
請求項５に記載の液晶表示装置において、
前記側面部材は、前記前面ユニットおよび前記背面ユニットよりも外側に突き出して形成される
ことを特徴とする液晶表示装置。
【請求項７】
請求項６に記載の液晶表示装置において、
前記側面部材が外側に突き出した突き出し部は、前記保護板側よりも前記背面板側に近い位置に形成される
ことを特徴とする液晶表示装置。
【請求項８】
請求項５に記載の液晶表示装置において、
前記側面部材の全体が弾性体である
ことを特徴とする液晶表示装置。
【請求項９】
請求項８に記載の液晶表示装置において、
前記側面部材は、ゴムである
ことを特徴とする液晶表示装置。
【請求項１０】
請求項１または請求項２に記載の液晶表示装置において、
輪郭を成す角部のうちの少なくとも下側に位置する角部は、曲面で形成される
ことを特徴とする液晶表示装置。
【発明の詳細な説明】
【技術分野】
【０００１】
本発明は、カラーフィルタを有する液晶パネルを透過させた光で映像を表示する液晶表示装置に関する。
【背景技術】
【０００２】
液晶表示装置である液晶テレビ１００は、図７(ａ)に示すように、液晶パネルを透過させた光で映像を表示する表示画面ｇを有する本体部１０１と、該本体部１０１を下方で支持するとともに床面等の据付面Ｙに載置される支持部１０２とを備え構成されている。
なお、図７(ａ)は、従来の液晶テレビ１００の前面図であり、図７(ｂ)は、図７(ａ)の従来の液晶テレビ１００の本体部１０１を上方から見た上面図である。
図７(ａ)に示す表示画面ｇの周囲を囲むＡＢＳ(アクリロニトリル、ブタジエン、スチレンを含む樹脂)等の樹脂性の筐体１０３は、図７(ｂ)に示すように、上方から見た場合に左右に長い矩形状であって角部が尖った角ばった形状となっている。
【０００３】
この筐体１０３は、本体部１０１の後部を覆う樹脂製の背面板１０４とネジ止め等で強固に組み付けられている。なお、背面板１０４は、図７(ｂ)に示すように、後方の角部が大きなＲ、すなわち丸みを付けた形状に形成されている。
図７(ｃ)は、図７(ａ)の従来の液晶テレビ１００の本体部１０１の内部構造を示す上方から見た上面図である。
図７(ｃ)に示すように、これら背面板１０４および筐体１０３に覆われた本体部１０１は、前部のカラーフィルタ、液晶層を有する液晶パネルと後部のバックライトとを有する液晶表示部１０５の前方側にアンチグレア処理した偏光板１０６が配設されており、液晶表示部１０５の後方側には、電源、チューナ、増幅回路等の制御部１０７が配設されている。
【０００４】
なお、図７(ａ)に示す従来の液晶テレビ１００の本体部１０１を上方から見た形状としては、図７(ｂ)に示す形状以外に、図８(ａ)に示す本体部１０１'の形状、図８(ｂ)に示す本体部１０１''の形状等が周知となっている。なお、図８(ａ)、(ｂ)は、従来の液晶テレビの他例の本体部を上方から見た上面図である。  
図８(ａ)に示す本体部１０１'は、表示画面ｇの周囲を囲む筐体１０３'が上方から見て左右に長い矩形状であって角部が尖った角ばった形状を有しており、この筐体１０３'に強固に組み付けられる背面板１０４'は、後方の角部が小さなＲを付けた形状に形成されている。
【０００５】
図８(ｂ)に示す本体部１０１''は、表示画面ｇの周囲を囲む筐体１０３''が上方から見て左右に長い矩形状であって角部が尖った角ばった形状を有しており、この筐体１０３''に強固に組み付けられる背面板１０４''は、後方にいくに従って狭まる形状に形成されている。
ところで、昨今、上述の液晶テレビ１００、或いは、有機ＥＬ(Ｏｒｇａｎｉｃ  ＥｌｅｃｔｒｏＬｕｍｉｎｅｓｃｅｎｃｅ)テレビ等の薄型化が急速に進行し、壁に吊り下げて使用される壁掛けテレビが市場に流通することが予測されている。
【０００６】
図９(ａ)は、従来の一例の壁掛けテレビ２００の前面図であり、図９(ｂ)は、壁掛けテレビ２００の右側面図である。
上述の液晶テレビ１００が、壁掛けテレビとして構成される場合、図７(ａ)に示す液晶テレビ１００の支持部１０２を除く本体部１０１が、そのまま、図９に示す壁掛けテレビ２００に適用されることが想定される。
【０００７】
なお、壁掛けテレビ２００の基本構成は、図７に示す液晶テレビ１００の基本構成と同様であるから、図９においては、液晶テレビ１００の構成要素の符号に２００の位の符号を付して示している。
なお、本願に係る文献公知発明として、下記の特許文献１、２、３がある。
【特許文献１】特開２００６−３０４０７９号公報(図１、図２、図３等)
【特許文献２】特開２００３−６６４１６号公報(図１、図３等)
【特許文献２】特開２００４−１８５８６８号公報(図３、図５等)
【発明の開示】
【発明が解決しようとする課題】
【０００８】
ところで、上述の液晶テレビ１００の製造は、順次、部品を組み付ける方法をとっており、生産性が高いとは言い難い。
また、上述の液晶テレビ１００がそのまま適用された壁掛けテレビ２００は、図９(ａ)に示すように、筐体２０３の４つの前隅部２０３ａが角張った形状に形成されており、また、図９(ｂ)に示すように、筐体２０３の前方の側隅部２０３ｂが角張った形状に形成されている。
【０００９】
そのため、壁掛けテレビ２００が、誤って床面等に落下した場合、角張った前隅部２０３ａ、側隅部２０３ｂが先に床面等に衝突する。この場合、壁掛けテレビ２００の前隅部２０３ａ、側隅部２０３ｂが角張っており、落下の衝撃を和らげる形状となっていないため、大きな衝撃が、液晶パネル、バックライト等で構成され構造的に脆弱な液晶表示部２０５(図９(ｂ)参照)に直に伝わり、損壊のおそれがある。
また、壁掛けテレビ２００においては、図９(ｂ)に示すように、後方側の背面板２０４側に重量の重い電源等の制御部２０７が配置されるため、壁掛けテレビ２００が床面等に落下した場合、後方側の背面板２０４が先に床面等に衝突し、この背面板２０４に加わる落下の衝撃が、背面板２０４に強固に固定される筐体２０３等を介して、構造的に脆弱な液晶表示部２０５に減衰されることなく伝わり、液晶表示部２０５の損壊の起因となる。
【００１０】
また、壁掛けテレビ２００の壁からの吊り下げ法については有効な方策が提示されていないのが現状であり、例えば、図１０に示すように、壁掛けテレビ２００の前部の釣り下げ用フックｈkで壁Ｋから吊り下げる方法が考えられるが、壁掛けテレビ２００の重心Ｇが、吊り下げ紐ｋ10を介しての吊り下げ力ｆ10による時計廻りのモーメントＭｂを受けて表示画面ｇが上向きとなる姿勢になり、視聴者が見ずらい、意匠性が劣る等の難点がある。
なお、図１０は、従来の壁掛けテレビ２００の吊り下げ状態の一例を示した図９(ａ)に示す従来の壁掛けテレビ２００の概念的右側面である。
本発明は上記実状に鑑み、液晶表示装置が落下した場合にも落下の衝撃を和らげ、信頼性を向上し得る液晶表示装置の提供を目的とする。
【課題を解決するための手段】
【００１１】
上記目的を達成すべく、本発明に関わる液晶表示装置は、光源を有するバックライトユニットと、映像を制御する制御ユニットと、該制御ユニットと前記バックライトユニットとが保持される背面板と、一対の基板間に狭持された液晶層と該一対の基板を狭持して配置された一対の偏光板を有する液晶パネルと、前記液晶パネルに対して前記バックライトユニットが配置された側とは反対側に配置された保護板とを備える液晶表示装置であって、保護板、液晶パネルを含んで一体とした前面ユニットと、バックライトユニットおよび制御ユニットおよび背面板を含んで一体とした背面ユニットとを併合し構成されている。
【発明の効果】
【００１２】
本発明に関わる液晶表示装置によれば、液晶表示装置が落下した場合にも落下の衝撃を和らげ、信頼性を向上し得る液晶表示装置を実現できる。
【発明を実施するための最良の形態】
【００１３】
以下、本発明の実施形態について添付図面を参照して説明する。
＜＜第１実施形態＞＞
本発明を適用した例である壁掛け用の液晶テレビ１０(以下、壁掛けテレビ１０と称す)は、その前面図の図１(ａ)に示すように、映像を表示する表示画面ｇを有しており、この表示画面ｇに映像を表示するに際しては、電圧をかけた液晶層(図示せず)に後方から光を透過させカラーフィルタ(図示せず)の各画素を照射し発色させ、映像を表示している。なお、図１(ｂ)は、図１(ａ)のＡ−Ａ線断面概念的構成図であり、図１(ｃ)は、図１(ａ)に示す壁掛けテレビ１０の右側面図である。
【００１４】
図１(ｂ)に示すように、壁掛けテレビ１０は、映像に応じた電圧が印加される液晶層に後方から光を透過させカラーフィルタの各画素を発色させ映像を表示する液晶パネル７と、両側方に配置され液晶パネル７を透過させる光を発光する発光ダイオード等の光源部ｋと、両側方の光源部ｋからの光を取り入れ光を拡散させ矢印α１のように前方への光に導くための導光板８と、導光板８の裏面側(図１(ｂ)の紙面上側)に配設され導光板８の裏面側に逃げた光を乱反射させ前方向き(矢印α１方向)の光とする反射シート９と、反射シート９で反射した光などの導光板８を透過した光を前方向き(矢印α１方向)の液晶パネル７を照射する均一な光とする光学フィルム６とを備え構成されている。
上記液晶パネル７における液晶層は、一対の基板(図示せず)間に挟持されており、また、この一対の基板を狭持する態様で一対の偏光板(図示せず)が配置されている。
【００１５】
そして、耐擦性が高く液晶パネル７を保護する透明な保護板１と、この保護板１側に設けられた偏光板との間には、両者を接合する接合層(図示せず)が形成されている。
またこの接着層として透明で且つエラストマ性を有し、液晶パネル７を保護する透明な保護板１の間の映像エリア全域に形成したものを透明な有機物媒体層とすると、この層は液晶パネルに加わる衝撃を保護板、透明な有機物媒体層にも伝え、液晶パネルにかかる衝撃を緩和することにより液晶パネル自身の耐衝撃性が向上する。更に透明な有機物媒体層を設けることにより保護板の裏面、及び偏光板の界面由来の反射が大幅に低減し、映り込みの少ない画像を提供できる。
【００１６】
なお、液晶パネル７および保護板１は、矩形の平板状の形状を有しており、保護板１は、透明なガラス、透明なアクリル等を用いて製造されている。
これらの保護板１、接合層（場合によっては透明な有機物媒体層）、および液晶パネル７を前面ユニットと称し、製造に際しては、前面ユニットが一体にサブアッセンブリされ製造されている。
また、光源部ｋと、光の導光方向を制御する光学部品として導光板８と、反射シート９と、光学フィルム６とを含んでバックライトユニットと称し、これらの部材は、製造に際して、サブアッセンブリされ製造されている。
【００１７】
なお、図１(ｂ)に示すように、本実施形態では、蛍光管やＬＥＤ等の光源部ｋを両側方に配置し、導光板８を介することによって液晶パネル７に光を照射するいわゆるサイドライト方式を例示しているが、液晶パネル７の後方に蛍光管やＬＥＤ等の光源を複数設ける等のバックライト方式でもよく、サイドライト方式に限定されるものではない。
また、壁掛けテレビ１０の最後部(図１(ｂ)の紙面上側)には最後面を形成する背面板２が配設され、この背面板２には、壁掛けテレビ１０を制御する電源、チューナ、増幅回路、これらから発生する熱を放熱するための放熱フィンｆ等の制御ユニットＹと、前記の光源部ｋ、導光板８、反射シート９、光学フィルム６等のバックライトユニットとが保持されている。
【００１８】
ここで、前記の光源部ｋ、導光板８、反射シート９、光学フィルム６等のバックライトユニットと、電源、チューナ、増幅回路、放熱フィンｆ等の制御ユニットＹと、背面板２とが、背面ユニットとして一体にサブアッセンブリされ製造されている。
図１(ｂ)に示すように、前面板である保護板１の側縁部には、透明なアクリル板等の第１支持側板３ａが経年変化が僅少なエポキシ系接着剤等で接着されており、また、壁掛けテレビ１０の最後面を形成する背面板２の側縁部には、ＡＢＳ、ＡＳ(アクリロニトリル、スチレンを含む樹脂)等の樹脂製の第２支持側板３ｂがエポキシ系接着剤等で接着またはネジ止めされている。
これらの第１支持側板３ａおよび第２支持側板３ｂと、幅方向に延在するＡＢＳ等の樹脂製の第３支持側板３ｃとがエポキシ系接着剤等で接着されている。そして、壁掛けテレビ１０の側縁部に配置されるＡＢＳ、ＡＳ等の樹脂製の側面板３に、前面板の保護板１、第１支持側板３ａ、第２支持側板３ｂ、第３支持側板３ｃ等が、エポキシ系接着剤等で接着されるとともに、背面板２が、接着やネジ止め等により固定されている。
【００１９】
これにより、保護板１、有機物媒体層、液晶パネル７を含んで一体とした前面ユニットと、前記した光源部ｋ、導光板８、反射シート９、光学フィルム６等のバックライトユニットおよび電源、チューナ、増幅回路、放熱フィンｆ等の制御ユニットＹおよび背面板２を一体とした背面ユニットとを併合し、壁掛けテレビ１０を組立て製造している。
なお、図１(ａ)に示すように、壁掛けテレビ１０の上面１０ａまたは下面１０ｂのうちの少なくとも一部は、制御ユニットＹ等で発生した熱を放熱するために、通風可能な金属製等の網目構造としている。
【００２０】
このように構成される壁掛けテレビ１０は、図１(ｂ)に示すように、前面を形成する保護板１と、最後面を形成する背面板２と、側面を形成する側面板３とが実質的に平坦状に形成されている。また、４つの角部１０ｏに丸みを付け、すなわち曲率を有した形状とし、壁掛けテレビ１０が落下した際に、衝撃荷重が１箇所に集中することなく丸みを付けた角部１０ｏに分散され落下の衝撃が低減するように構成されている。
同様に、図１(ａ)に示すように、壁掛けテレビ１０の両側方の下角部１０ｕ1、上角部１０ｕに丸みつけるとともに、図１(ｃ)に示すように、側方の両下角部１０ｓ1、上角部１０ｓに丸みつけ、壁掛けテレビ１０が落下した際に、衝撃荷重が１箇所に集中することなく丸みを付けた角部で分散され、落下の衝撃が低減するように構成されている。
【００２１】
図２は、上述の衝撃性低減の構成の第１変形形態を示したものであり、図２(ａ)は、図１(ａ)に示す壁掛けテレビ１０'の上面図であり、図２(ｂ)は、図２(ａ)に示す壁掛けテレビ１０'の右側面図である。
【００２２】
図２に示す第１変形形態の壁掛けテレビ１０'は、前面を形成する保護板１'を、実質的に平坦形状であって側面板３'から突出して形成するとともに、背面を形成する背面板２'を、実質的に平坦形状であって側面板３'から突出して形成している。
そして、上面図の図２(ａ)に示すように、４つの角部１０ｏ'に丸みを付けるとともに、右側面図の図２(ｂ)に示すように、４つの角部１０ｓ'、１０ｓ1'に丸みを付けて形成し、壁掛けテレビ１０'が落下した際に、衝撃荷重が１箇所に集中することなく丸みを付けた角部１０ｏ'、１０ｓ'、１０ｓ1'で分散され、落下の衝撃が低減するように構成している。
なお、図２(ｂ)に示すように、少なくとも、両下角部１０ｓ1'に丸みを付ければ、壁掛けテレビ１０'が落下する際には、下部から落下する場合が殆どであると想定されることから、一定の落下の衝撃の低減の効果を奏する。
【００２３】
なお、保護板１'、背面板２'の側面板３'に対する左右方向(図２(ａ)の紙面の左右方向)の大きさおよび上下方向(図２(ｂ)の紙面の上下方向)の大きさが大き過ぎたり、側面板３'からの保護板１'、背面板２'の前後方向(図２(ａ)の紙面の上下方向)への突き出し量が大き過ぎると、側面板３'の角部１０ｏ'、１０ｓ'、１０ｓ1'に丸みを付けても、壁掛けテレビ１０'が床面に落下した際、先に保護板１'、背面板２'が床面に衝突する可能性が高まり、落下の衝撃低減の効果が低まる。そのため、保護板１'、背面板２'の大きさおよび面板３'からの突き出し量は１０ｏ'、１０ｓ'、１０ｓ1'の丸みの半径未満に抑えることが望ましい。
【００２４】
図３は、前記の衝撃性低減の構成の第２変形形態の壁掛けテレビ１０''を示したものであり、図３(ａ)は、図１(ａ)に示す壁掛けテレビ１０''の上面図であり、図３(ｂ)は、図３(ａ)に示す壁掛けテレビ１０''の右側面図である。
図３に示す第２変形形態の壁掛けテレビ１０''は、側面板３''から突出した平坦状の保護板１''の角部１ｃ1''、１ｃ2''(図３(ａ)参照)に丸みを付け、また、側面板３''から突出した平坦状の背面板２''の角部２ｃ1''、２ｃ2''(図３(ｂ)参照)に丸みを付けて構成したものである。
この構成により、壁掛けテレビ１０''が床面等に落下した際に、保護板１''の角部１ｃ1''、１ｃ2''および背面板２''の角部２ｃ1''、２ｃ2''が床面等に衝突することによる損壊の可能性を低減できる。
【００２５】
これ以外の構成は、第１変形形態の構成と同様であるから、同一の構成要素の符号に''(ダブルダッシ)を付して示し、詳細な説明は省略する。
ところで、図１(ａ)に示すように、壁掛けテレビ１０の上端の両側方部には、壁掛けテレビ１０を壁に吊り下げるための釣下げ用フックｈkが一対、取着されている。
図４(ａ)は、図１(ａ)に示す壁掛けテレビ１０の吊り下げ用フックｈkと壁掛けテレビ１０の重心Ｇとの関係を示した右側面概念図であり、図４(ｂ)は、図４(ａ)に示す壁掛けテレビ１０を壁に吊り下げた状態を示す右側面概念図である。
壁掛けテレビ１０は、図１(ｂ)に示すように、後側の背面板２側に重量が大きい電源、チューナ、増幅回路、放熱フィンｆ等の制御ユニットＹが配置され、前側の保護板１側に重量が軽い液晶パネル７等が配置されている。
そのため、図４(ａ)に示すように、壁掛けテレビ１０の重心Ｇが保護板１よりも背面板２側に近い構成となっている。
【００２６】
そこで、壁掛けテレビ１０を壁Ｋから吊り下げるための釣下げ用フックｈkを、保護板１よりも重心Ｇに近い背面板２側に寄った位置に設置している
これにより、図４(ｂ)に示すように、壁掛けテレビ１０は、釣下げ用フックｈkに係合する吊り下げ紐ｋ1を介した吊り下げ力ｆ１を受け、この吊り下げ力ｆ１によって、壁掛けテレビ１０の重心Ｇが、反時計廻りのモーメントＭａを受け、似て壁掛けテレビ１０の後下角部１０ｓ1が壁Ｋに当接し、壁掛けテレビ１０が壁Ｋから吊り下げられる。
前記構成によれば、保護板１、透明な有機物媒体層、液晶パネル７を含んで一体とした前面ユニットをサブアッセンブリして製造し、また、光源部ｋ、導光板８、反射シート９、光学フィルム６等のバックライトユニットおよび電源、チューナ、増幅回路、放熱フィンｆ等の制御ユニットＹおよび背面板２とを一体とした背面ユニットをサブアッセンブリし製造し、その後、この両者を併合し、組み立て製造する。
【００２７】
従って、クリーンルームを中心とした製造現場で保護板を支持体として液晶パネル等を接合した前面ユニットをサブアッセンブリし、別の製造現場で背面板を支持体として光源部、及び光の導光方向を制御する光学部品を接合したバックライトユニットをサブアッセンブリすることにより、最終的に液晶テレビを組み立てる際の部品点数が減り、液晶テレビ製造のスループットが向上する。
更に製造現場に部品を輸送する際、剛性のある保護板、背面板に、液晶パネルや、制御ユニット等の物理的衝撃で破損しやすい部品をあらかじめ接合しておくので、輸送時にこれら部品の破損が抑制されるため、輸送する際の梱包が簡素化できる。
また、図１(ａ)、図１(ｃ)に示すように、壁掛けテレビ１０の少なくとも下側に位置する角部１０ｕ1、１０ｓ1を丸みを付けて形成するので、壁掛けテレビ１０が床面等に落下した際に、落下の衝撃が、1箇所に集中することなく丸み付けた角部１０ｕ1、１０ｓ1によって分散され、耐衝撃性が向上する。
【００２８】
加えて、壁掛けテレビ１０の重心Ｇが、保護板１よりも背面板２側に近くなるように構成し、吊り下げ用フックｈkが保護板１よりも背面板２側に寄った位置に設置されるので、図４(ｂ)に示すように、表示画面ｇが下向きになり、視聴者が見易く、かつ、意匠性が良好である。
次に、第２実施形態から第５実施形態の壁掛けテレビについて、図５を用いて説明する。
第２実施形態から第５実施形態の壁掛けテレビは、第１実施形態の壁掛けテレビ１０の前面を成す保護板１と後面を成す背面板２とを連結する構成を変更したものである。
【００２９】
＜＜第２実施形態＞＞
第２実施形態の壁掛けテレビについて、図５(ａ)を用いて説明する。なお、図５(ａ)は、第２実施形態の図１(ａ)の壁掛けテレビのＢ−Ｂ線断面図である。
第２実施形態の壁掛けテレビは、第１実施形態の壁掛けテレビ１０における保護板１と背面板２とを連結する構成を変更したものである。
これ以外は、第１実施形態と同様な構成であるので、同一の構成要素の数字符号には、第１実施形態の符号に二十番台の符号を付して示し、同一の構成要素の文字符号には、第１実施形態の符号と同一の符号を付して示し、詳細な説明は省略する。
【００３０】
図５(ａ)に示すように、第２実施形態の前面板の保護板２１の側縁部には、透明なアクリル板等の第１支持側板２３ａが経年変化が僅少なエポキシ系接着剤等で接着されており、また、この第１支持側板２３ａの側端縁および保護板２１の側端縁が、ＡＢＳ、ＡＳ等の樹脂製の角部材２４ａにエポキシ系接着剤等で接着されている。
また、壁掛けテレビの最後面を形成する背面板２２の側縁部には、ＡＢＳ、ＡＳ等の樹脂製の第２支持側板２３ｂがエポキシ系接着剤等で接着またはネジ止めされており、また、背面板２２の側端縁および第２支持側板２３ｂの側端縁が、ＡＢＳ、ＡＳ等の樹脂製の角部材２４ｂにエポキシ系接着剤等で接着されている。
【００３１】
この背面板２２に結合された第２支持側板２３ｂと角部材２４ｂとが、力を受けると変形し、力を除くと元の形状に復元するゴム等の弾性材で形成される側面部材２３に接着されるとともに、保護板２１に結合された第１支持側板２３ａと角部材２４ａとが、この弾性材の側面部材２３に接着されることにより、保護板２１と背面板２２とが、側面部材２３を介して、連結されている。
なお、側面部材２３として、ブタジエンゴム等のゴムを例示して説明したが、力を受けると変形し、力を除くと元の形状に復元する弾性材であれば、独立気泡体のスポンジ等、ゴム以外の材料を適宜、選択可能である。
また、側面部材２３は、落下等の衝撃を吸収できる構造ならば、一部に弾性材を含んだ構成とすることも可能である。
【００３２】
なお、壁掛けテレビの上面または下面の少なくとも一部は、制御ユニットＹ等で発生した熱を放熱する通風可能な金属製等の網目構造としている。
第２実施形態によれば、前面板の保護板２１と背面板２２とが、弾性材の側面部材２３を介して連結されるので、壁掛けテレビが床面等に落下し、重量の重い背面板２２側が床面等に衝突した場合においても、背面板２２に加わった落下の衝撃が、弾性材の側面部材２３によって減衰し吸収された後に、液晶パネル７等が接合される構造的に脆弱な前面板の保護板２１側に伝達されるため、構造的に脆弱な保護板２１側の損壊を防止できる。
【００３３】
なお、第２実施形態においては、第１支持側板２３ａと角部材２４ａとが別部材の場合を例示したが、第１支持側板２３ａと角部材２４ａとを一体の部品として構成してもよい。
同様に、第２支持側板２３ｂと角部材２４ｂとが別部材の場合を例示したが、第２支持側板２３ｂと角部材２４ｂとを一体の部品として構成し、背面板２２に接着してもよいし、ネジ止めで固定してもよい。
【００３４】
＜＜第３実施形態＞＞
次に、第３実施形態の壁掛けテレビについて、図５(ｂ)を用いて説明する。なお、図５(ｂ)は、第３実施形態の図１(ａ)の掛けテレビのＢ−Ｂ線断面図である。
第３実施形態の壁掛けテレビは、第１実施形態の壁掛けテレビ１０における保護板１と背面板２とを連結する構成を変更したものである。
これ以外の構成は、第１実施形態と同様な構成であるので、同一の構成要素の数字符号には、第１実施形態の符号に三十番台の符号を付して示し、同一の構成要素の文字符号には、第１実施形態と同一の符号を付して示し、詳細な説明は省略する。
【００３５】
第３実施形態は、図５(ｂ)に示すように、第２実施形態で示した弾性材の側面部材３
３を外側に突き出した形状に形成したものである。すなわち、弾性体の側面部材３３が、液晶パネル３７等を含む前面ユニットおよびバックライトユニット、制御ユニットＹ等を含む背面ユニットよりも外側に突き出して構成している。
これ以外の構成は、第２実施形態と同様であるから、詳細な説明は省略する。
なお、側面部材３３としては、力を受けると変形し、力を除くと元の形状に復元する弾性材であれば、独立気泡体のスポンジ等、ゴム以外の材料を適宜、選択可能である。
また、側面部材３３は、衝突の衝撃を吸収できる構造ならば、一部に弾性材を含んだ構成とすることも可能である。
【００３６】
なお、壁掛けテレビの上面または下面の少なくとも一部は、制御ユニットＹ等で発生した熱を放熱する通風可能な金属製等の網目構造としている。
第３実施形態によれば、前面板の保護板３１と背面板３２とが、弾性材の側面部材３３を介して連結されるので、壁掛けテレビが床面等に落下した際に、重量の重い背面板３２側が床面等に衝突した場合、背面板３２に加わった落下の衝撃が、弾性材の側面部材３３によって減衰し吸収された後に、液晶パネル３７等が接合され構造的に脆弱な前面板の保護板３１側に伝達され、構造的に脆弱な保護板３１側の損壊を防止できる。
【００３７】
また、弾性材の側面部材３３が外側に突き出して構成されるので、壁掛けテレビが床面等に落下した際、外側に突き出した弾性材の側面部材３３が床面等に衝突し、落下の衝撃を弾性材の側面部材３３で吸収し、構造的に脆弱な液晶パネル３７等を備える壁掛けテレビ本体に伝わることを抑制でき、壁掛けテレビの損壊を未然に抑制できる。
【００３８】
＜＜第４実施形態＞＞
次に、第４実施形態の壁掛けテレビについて、図５(ｃ)を用いて説明する。なお、図５(ｃ)は、第４実施形態の図１(ａ)の掛けテレビのＢ−Ｂ線断面図である。
第４実施形態の壁掛けテレビは、第１実施形態の壁掛けテレビ１０における保護板１と背面板２とを連結する構成を変更したものであり、側面部材全体を弾性体で構成したものである。
これ以外は、第１実施形態と同様な構成であるので、同一の構成要素の数字符号には、第１実施形態の符号に四十番台の符号を付して示し、同一の構成要素の文字符号には、第１実施形態の符号と同一の符号を付して示し、詳細な説明は省略する。
【００３９】
図５(ｃ)に示すように、前面板の保護板４１に、ゴム等の弾性材の側面部材４３を固定するための円柱状の突起部４１ｔを、側縁部に沿って複数形成する。
なお、円柱状の突起部４１ｔは、保護板４１の上側縁部、下側縁部、および、側方の右側縁部、左側縁部に適宜、形成されている。
同様に、壁掛けテレビの最後面を形成する背面板４２に、弾性材の側面部材４３を固定するための円柱状の突起部４２ｔを、側縁部に沿って複数形成している。
なお、円柱状の突起部４２ｔは、背面板４２の上側縁部、下側縁部、および、側方の右側縁部、左側縁部に適宜、形成されている。
そして、ゴム等の弾性材で形成される側面部材４３には、保護板４１の円柱状の突起部４１ｔに対応して、該突起部４１ｔの径と略同一の径または若干小さい径の円筒状の凹部４３ｏ1が複数、形成されるとともに、背面板４２の円柱状の突起部４２ｔに対応して、該突起部４２ｔの径と略同一の径または若干小さい径の円筒状の凹部４３ｏ2が複数、形成されている。
【００４０】
この構成により、図５(ｃ)に示すように、側面部材４３の凹部４３ｏ1に、保護板４１の突起部４２ｔを、嵌入または側面部材４３を弾性変形させて嵌入するとともに、側面部材４３の凹部４３ｏ2に、背面板４２の突起部４２ｔを、嵌入または側面部材４３を弾性変形させて嵌入することにより、保護板４１と背面板４２とが、弾性材の側面部材４３を介して連結されている。
なお、側面部材４３の凹部４３ｏ1への保護板４１の突起部４１ｔの嵌入および側面部材４３の凹部４３ｏ2への背面板４２の突起部４２ｔの嵌入に接着剤を用いて、固定を強化することも可能である。
なお、壁掛けテレビの上面または下面の少なくとも一部は、制御ユニットＹ等で発生した熱を放熱する通風可能な金属製等の網目構造としている。
【００４１】
第４実施形態によれば、前面板の保護板４１と背面板４２とが、弾性体の側面部材４３を介して連結されるので、壁掛けテレビが落下した際に、床面等に衝突した背面板４２の衝撃を、弾性体の側面部材４３で吸収し落下の衝撃を和らげ、脆弱な構造の保護板４１側に伝えることが可能である。そのため、脆弱な構造の液晶パネル４７等が接合された保護板４１側の損壊を抑制できる。
また、前面板の保護板４１と背面板４２間に弾性体の側面部材４３のみを介して連結する構成なので、部品点数が削減され、製造コストを低減できる。
なお、側面部材４３としては、力を受けると変形し、力を除くと元の形状に復元する弾性材であれば、独立気泡体のスポンジ、発泡ウレタン等、ゴム以外の材料を適宜、選択可能である。
また、側面部材４３は、衝突の衝撃を吸収できる構造ならば、一部に弾性材を含んで構成してもよい。
【００４２】
＜＜第５実施形態＞＞
次に、第５実施形態の壁掛けテレビについて、図５(ｄ)を用いて説明する。なお、図５(ｄ)は、第５実施形態の図１(ａ)の壁掛けテレビのＢ−Ｂ線断面図である。
第５実施形態の壁掛けテレビは、第４実施形態で説明した保護板４１と背面板４２とを連結するゴム等の弾性材の側面部材４３を、図５(ｄ)に示すように、前面板の保護板５１側よりも背面板５２側を外側に突き出した突き出し部５３ｔを有する側面部材５３として構成したものである。
これ以外の構成は、第１、４実施形態と同様な構成であるので、同一の構成要素の数字符号には、第１、４実施形態の符号に五十番台の符号を付して示し、同一の構成要素の文字符号には、第１実施形態の符号と同一の符号を付して示し、詳細な説明は省略する。
【００４３】
第５実施形態の背面板５２側を外側に突き出した突き出し部５３ｔを、図１(ａ)に示す壁掛けテレビの下縁部１０ｂ全体、或いは、少なくとも左右の両下縁側部１０ｂ１に一対、形成する。
この構成により、壁掛けテレビが落下した際、床面等に重量が大きい背面板５２側の弾性材である側面部材５３の突き出し部５３ｔが衝突し、落下の衝撃を弾性材の側面部材５３で減衰し吸収し、液晶パネル５７等が接合され構造的に脆弱な前面板の保護板５１側に伝達することが可能であり、構造的に脆弱な保護板５１側の損壊を未然に抑制できる。
また、第４実施形態の構成が奏する効果は、同様に奏する。
【００４４】
なお、側面部材５３としては、力を受けると変形し、力を除くと元の形状に復元する弾性材であれば、独立気泡体のスポンジ等、ゴム以外の材料を適宜、選択可能である。
また、側面部材５３は、衝突の衝撃を吸収できる構造ならば、一部に弾性材を含んで構成してもよい。
【００４５】
＜＜第６実施形態＞＞
次に、第６実施形態の壁掛けテレビについて、図６を用いて説明する。なお、図６(ａ)は、第６実施形態の図１(ａ)の壁掛けテレビのＢ−Ｂ線断面図であり、図６(ｂ)は、第６実施形態の背面板６２を前面側(図１(ａ)の紙面手前側)から見た概念的前面図であり、図６(ｃ)は、第６実施形態の変形形態の図１(ａ)の壁掛けテレビのＢ−Ｂ線断面図である。
第６実施形態の壁掛けテレビは、第４実施形態で説明した保護板４１を弾性材の側面部材４３に固定するための保護板４１の突起部４１ｔの形状を変更し、また、背面板４２を側面部材４３に固定するための背面板４２の突起部４２ｔの形状を変更したものである。
【００４６】
これ以外の構成は、第４実施形態、第１実施形態と同様な構成であるので、同一の構成要素の数字符号には、第１実施形態の符号に六十番台の符号を付して示し、同一の構成要素の文字符号には、第１実施形態の符号と同一の符号を付して示し、詳細な説明は省略する。
図６(ａ)に示すように、前面板の保護板６１には、ゴム等の弾性材の側面板６３を固定するために、径が先端にいくに従って細くなる円錐状であって先端部が平面または曲面等で切断された形状の円錐部６１ｔ1と該円錐部６１ｔ1の最大径部６１ｔ11より細い径を有する円柱状の細径部６１ｔ2とを有する突起部６１ｔを複数、具えて構成されている。
なお、突起部６１ｔは、保護板６１に突起部６１ｔの取付用の細径の穴(図示せず)を穿設し、該穴に突起部６１ｔの下部に形成した取り付け軸(図示せず)を圧入したり、接着等して、保護板６１に取り付けることができる。
【００４７】
同様に、図６(ａ)、図６(ｂ)に示すように、最後面を形成する背面板６２には、弾性材の側面部材６３を固定するために、径が先端にいくに従って細くなる円錐状であって先端部が平面または曲面等で切断された形状の円錐部６２ｔ1と該円錐部６２ｔ1の最大径部６２ｔ11より細い径を有する円柱状の細径部６２ｔ2とを有する突起部６２ｔを複数、具えて構成されている。
なお、突起部６２ｔは、背面板６２に突起部６２ｔの取付用の細径の穴(図示せず)を穿設し、該穴に突起部６２ｔの下部に形成した取り付け軸(図示せず)を圧入したり、接着等して、背面板６２に取り付けることができる。
なお、突起部６１ｔ、６２ｔは、機械的特性に優れるポリアセタール等の樹脂、ステンレス鋼等の金属を適宜、選択して製造できる。
【００４８】
上記保護板６１の複数の突起部６１ｔに対応して、ゴム等の弾性材で形成される側面部材６３には、該突起部６１ｔの寸法と略同一または若干小さい寸法の凹部６３ｏ1が複数、形成されるとともに、背面板６２の複数の突起部６２ｔに対応して、該突起部６２ｔの寸法と略同一の径または若干小さい寸法の凹部６３ｏ2が複数、形成されている。
上述の如く構成された側面部材６３の複数の凹部６３ｏ1に、保護板６１の対応する複数の突起部６１ｔを、嵌入または側面部材６３を弾性変形させて嵌入するとともに、側面部材６３の複数の凹部６３ｏ2に、背面板６２の対応する複数の突起部６２ｔを、嵌入または側面部材６３を弾性変形させて嵌入することにより、側面部材６３を介して、保護板６１と背面板６２とを連結し、壁掛けテレビを組立てることができる。
【００４９】
なお、側面部材６３の凹部６３ｏ1への保護板６１の突起部６１ｔの嵌入および側面部材６３の凹部６３ｏ2への背面板６２の突起部６２ｔの嵌入に接着剤を用いて、固定を強化することも可能である。
第６実施形態によれば、保護板６１の複数の突起部６１ｔに太径の円錐状の円錐部６１ｔ1を形成するとともに、背面板６２の複数の突起部６２ｔに太径の円錐状の円錐部６２ｔ1を形成したので、保護板６１と背面板６２とを側面部材６３に円錐状の円錐部６１ｔ1、６２ｔ1によって組み付けし易いとともに、保護板６１と背面板６２とを確実に側面部材６３に組み付けることができる。
また、壁掛けテレビが落下し衝撃が加わった場合にも、側面部材６３に保護板６１と背面板６２とが確実に組み付けられるため、側面部材６３から保護板６１と背面板６２とが外れることを防止でき、壁掛けテレビの機械的な信頼性が向上する。
【００５０】
＜＜第６実施形態の変形形態＞＞
図６(ｃ)は、第６実施形態の保護板６１に設ける突起部６１ｔおよび背面板６２に設ける突起部６２ｔの変形形態を示している。
図６(ｃ)に示すように、変形形態の保護板６１'に設ける突起部６１ｔ'は、第６実施形態の保護板６１の突起部６１ｔの下端部に短円柱状のフランジ部６１ｔ3'を設けた構成である。
同様に、変形形態の背面板６２'に設ける突起部６２ｔ'は、第６実施形態の背面板６２の突起部６２ｔの下端部に短円柱状のフランジ部６２ｔ3'を設けた構成である。
【００５１】
これ以外の構成は、第６実施形態と同様であるから、同様な構成要素には、第６実施形態の符号に'(ダッシ)を付して示し、詳細な説明は省略する。
変形形態によれば、保護板６１'に設ける突起部６１ｔ'の下端部にフランジ部６１ｔ3'を設けたので、突起部６１ｔ'の下端部のフランジ部６１ｔ3'の下面を保護板６１'に接着する場合、接着面積が拡大し接着強度が向上する。
また、保護板６１'に突起部６１ｔ'の取付用の細径の穴(図示せず)を穿設し、該穴に突起部６１ｔ'の下部に形成した取り付け軸(図示せず)を圧入したり、接着等して、保護板６１'に突起部６１ｔ'を取り付ける場合も、フランジ部６１ｔ3'が形成されたことにより、保護板６１'に設ける突起部６１ｔ'の機械的強度が高まる。
【００５２】
同様に、背面板６２'に設ける突起部６２ｔ'の下端部にフランジ部６２ｔ3'を設けたので、突起部６２ｔ'の下端部のフランジ部６２ｔ3'の下面を背面板６２'に接着する場合、接着面積が拡大し接着強度が向上する。
また、背面板６２'に突起部６２ｔ'の取付用の細径の穴(図示せず)を穿設し、該穴に突起部６２ｔ'の下部に形成した取り付け軸(図示せず)を圧入したり、接着等して、背面板６２'に突起部６２ｔ'を取り付ける場合も、フランジ部６２ｔ3'が形成されたことにより、背面板６２'に設ける突起部６２ｔ'の機械的強度が高まる。
そのため、側面部材６３'を介した前面板の保護板６１'と背面板６２'との連結強度が高まり、壁掛けテレビの剛性が高まり、壁掛けテレビの更なる機械的信頼性の向上が可能である。
【図面の簡単な説明】
【００５３】
【図１】(ａ)は、第１実施形態の壁掛け用の液晶テレビの前面図であり、(ｂ)は、 (ａ)図のＡ−Ａ線断面概念的構成図であり、(ｃ)は、(ａ)図に示す壁掛けテレビの右側面図である。
【図２】(ａ)は、第１変形形態の図１(ａ)に示す壁掛けテレビの上面図であり、 (ｂ)は、(ａ)図に示す壁掛けテレビの右側面図である。
【図３】(ａ)は、第２変形形態の図１(ａ)に示す壁掛けテレビの上面図であり、 (ｂ)は、(ａ)図に示す壁掛けテレビの右側面図である。
【図４】(ａ)は、図１(ａ)に示す壁掛けテレビの吊り下げ用フックと壁掛けテレビの重心Ｇとの関係を示した右側面概念図であり、(ｂ)は、(ａ)図に示す壁掛けテレビを壁に吊り下げた状態を示す右側面概念図である。
【図５】(ａ)は、第２実施形態の図１(ａ)に示す壁掛けテレビのＢ−Ｂ線断面図であり、(ｂ)は、第３実施形態の図１(ａ)に示す壁掛けテレビのＢ−Ｂ線断面図であり、(ｃ)は、第４実施形態の図１(ａ)の壁掛けテレビのＢ−Ｂ線断面図であり、(ｄ)は、第５実施形態の図１(ａ)の壁掛けテレビのＢ−Ｂ線断面図である。
【図６】(ａ)は、第６実施形態の図１(ａ)に示す壁掛けテレビのＢ−Ｂ線断面図であり、 (ｂ)は、第６実施形態の背面板を前面側から見た概念的前面図であり、(ｃ)は、第６実施形態の変形形態の図１(ａ)に示す壁掛けテレビのＢ−Ｂ線断面図である。
【図７】(ａ)は、従来の液晶テレビの前面図であり、(ｂ)は、(ａ)図の従来の液晶テレビの本体部を上方から見た上面図であり、(ｃ)は、(ａ)図の従来の液晶テレビの本体部の内部構造を示す本体部を上方から見た上面図である。
【図８】(ａ)および(ｂ)は、従来の液晶テレビの他例の本体部を上方から見た上面図である。
【図９】(ａ)は、従来の一例の壁掛けテレビの前面図であり、(ｂ)は、(ａ)図に示す壁掛けテレビの右側面図である。
【図１０】図９(ａ)の従来の壁掛けテレビの吊り下げ状態を示した概念的右側面である。
【符号の説明】
【００５４】
１…保護板、
２…背面板、
６…光学フィルム、
７…液晶パネル、
８…導光板、
９…反射シート、
１０、１０'、１０''…壁掛け用の液晶テレビ(液晶表示装置)、
１０u1、１０ｓ、１０ｓ1'、１０ｓ1''…下側に位置する角部、
２３、３３、４３、５３、６３…側面部材、
５１…請求項６の保護板、
５２…請求項６の背面板、
５３ｔ…突き出し部、
ｈk…吊り下げ用フック、
Ｇ…重心、
ｋ…光源部(光源)、
Ｙ…制御ユニット
【図１】
2009098247.tif 000003
【図２】
2009098247.tif 000004
【図３】
2009098247.tif 000005
【図４】
2009098247.tif 000006
【図５】
2009098247.tif 000007
【図６】
2009098247.tif 000008
【図７】
2009098247.tif 000009
【図８】
2009098247.tif 000010
【図９】
2009098247.tif 000011
【図１０】
2009098247.tif 000012